(57)【要約】【課題】レンガを組み込んで形成する壁構造体であって、平面視円弧状部分を有する任意形状の壁構造体を提供する。【解決手段】平面視円弧状部分を有する壁構造体であって、平面視円弧状部分は、段Ａと段Ｂとを交互に積み上げて形成する。段Ａは、レンガ１と、レンガ１と水平方向で隣り合って配置する補助部材２とにより形成し、レンガ１は直方体状である。補助部材２は平面視台形状補助部材２ａと平面視二等辺三角形状補助部材２ｂとを備える。平面視台形状補助部材２ａは、レンガ１と同等の高さ寸法を有する四角柱状であり、平面視二等辺三角形状補助部材２ｂは、レンガ１と同等の高さ寸法を有する三角柱状である。段Ｂは、レンガ１と、レンガ１と水平方向で隣り合って配置する平面視二等辺三角形状補助部材２ｂとにより形成する。【選択図】図１
2010150824.tif 000002
【特許請求の範囲】
【請求項１】
平面視円弧状部分を有する壁構造体であって、
前記平面視円弧状部分は、段Ａと段Ｂとを交互に積み上げて形成し、
前記段Ａは、レンガ１と、該レンガ１と水平方向で隣り合って配置する補助部材２とにより形成し、
前記レンガ１は、長辺と短辺と高さとを有する直方体状であり、長辺の方向が前記円弧の半径方向となるように配置し、
前記補助部材２は、平面視台形状補助部材２ａと、平面視二等辺三角形状補助部材２ｂとを備え、
前記平面視台形状補助部材２ａは、
レンガ１と同等の高さ寸法を有する四角柱状であり、平面視台形状補助部材２ａにおける台形の上底は、下底より短く、上底および下底以外の２辺の長さ寸法がいずれもレンガ１の長辺より短く、
上底と下底以外の２辺のうちの１辺と、上底および下底とのなす角度がともに略９０度であり、
上底が前記円弧の内側を向くように、円弧状部分の両末端に配置し、
台形の４辺のうち互いに平行な上底と下底以外の２辺の少なくとも一方がレンガ１の長辺と向かい合って配置し、
前記平面視二等辺三角形状補助部材２ｂは、
レンガ１と同等の高さ寸法を有する三角柱状であり、平面視二等辺三角形状補助部材２ｂにおける二等辺三角形の長さの等しい２辺の長さ寸法がいずれもレンガ１の長辺より短く、
長さの等しい前記２辺が作る頂点が前記円弧の内側を向くように配置し、
長さの等しい前記２辺は、レンガ１の長辺と向かい合って配置し、
前記段Ｂは、レンガ１と、該レンガ１と水平方向で隣り合って配置する平面視二等辺三角形状補助部材２ｂとにより形成し、
前記レンガ１は、長辺の方向が前記円弧の半径方向となるように配置し、
前記平面視二等辺三角形状補助部材２ｂは、該補助部材２ｂにおける二等辺三角形の長さが等しい２辺の作る頂点が前記円弧の内側を向くように配置し、
長さの等しい前記２辺がレンガ１の長辺と向かい合って配置し、
前記段Ａと前記段Ｂのうち、下段にある方の補助部材２の直ぐ上に、上段のレンガ１を配置し、下段にある方のレンガ１の直ぐ上に、上段の補助部材２を配置する壁構造体。
【請求項２】
前記レンガ１のサイズが、長辺ｙ×短辺ｔ×高さｈであり、前記平面視二等辺三角形状補助部材２ｂにおける二等辺三角形の長さが等しい２辺の作る角度が２θ度であるとき、
２ｔａｎ-1（ｔ／２ｙ）−５≦２θ≦２ｔａｎ-1（ｔ／２ｙ）＋５
である請求項１に記載の壁構造体。
【請求項３】
前記平面視台形状補助部材２ａにおける台形の４辺のうち、上底および下底以外の２辺と、上底との作る角度が、９０度と、（９０＋α）度であるとき、
θ−５≦α≦θ＋５
である請求項１または２に記載の壁構造体。
【請求項４】
前記平面視円弧状部分に連結する平面視直線状部分を有する壁構造体であって、
補助部材２として、平面視長方形状補助部材２ｃを備え、
前記平面視直線状部分は、レンガ１と、該レンガ１と水平方向で隣り合って配置する平面視長方形状補助部材２ｃとからなる段を積み上げて形成し、
前記レンガ１は、長辺の方向が、壁構造体の側面に直交するように配置し、
前記平面視長方形状補助部材２ｃは、
レンガ１と同等の高さ寸法を有する四角柱状であり、
平面視長方形状補助部材２ｃにおける長方形の４辺のうち、レンガ１と水平方向で向かい合って配置する２辺の長さ寸法がレンガ１の長辺より短く、
前記長方形の４辺のうち、レンガ１と向かい合って配置する前記２辺以外の２辺の長さがレンガ１の短辺と同等の寸法を有し、
下段の補助部材２ｃの直ぐ上に、上段のレンガ１を配置し、下段のレンガ１の直ぐ上に、上段の補助部材２ｃを配置する請求項１〜３のいずれかに記載の壁構造体。
【請求項５】
前記補助部材２の材質が、発泡スチロール、発泡ポリオレフィン、天然ゴム、合成ゴム、プラスチックス、石綿、石膏、陶磁、セメント、モルタル、コンクリート、金属または金属酸化物である請求項１〜４のいずれかに記載の壁構造体。
【請求項６】
最上段から数えて２段目以下に配置する段のレンガ１と補助部材２とは、穴部または切り欠き部を有し、壁構造体の形成後、２段目から土台に至るまで高さ方向に貫通する穴部が形成されるようにレンガ１と補助部材２とを配置する請求項１〜５のいずれかに記載の壁構造体。
【請求項７】
補助部材２の前記切り欠き部は、壁構造体を形成したときに壁構造体の内部方向を向く部分を切り欠くように形成されている請求項６に記載の壁構造体。
【請求項８】
補助部材の前記切り欠き部は、壁構造体を形成したときにレンガ１と向かい合う面に形成されている請求項６に記載の壁構造体。
【発明の詳細な説明】
【技術分野】
【０００１】
本発明は、平面視円弧状部分を有する任意形状の花壇および塀等の壁構造体に関する。特に、レンガを切断加工することなく、レンガと補助部材とを組み込んで平易に形成することができる壁構造体に関する。
【背景技術】
【０００２】
レンガを積み上げて形成する従来の壁構造体の施工技術には、馬踏み積み、イギリス積みおよびフランス積み等がある。これらの施工技術は、いずれも１段目のレンガを横長に積んだ後、１段目のレンガと半分ずつ重なるようにずらして２段目のレンガを積み上げ、同様に３段目以降のレンガを積み上げていくことにより、千鳥模様の壁構造体を形成する技術であり、形成される壁構造体は、いずれも平面視直線状である。このため、これらの壁構造体は、デザインに変化が少なく、独創性が小さいため、飽きられやすい。
【０００３】
また、レンガは直方体状であるため、レンガを積み上げて、平面視円形状の壁構造体を形成しようとすると、水平方向に隣り合って配置するレンガとレンガの間に、大きな隙間が生じる。したがって、下段のレンガと重なるように、直ぐ上に上段のレンガを積み上げていくと、水平方向の強度が不十分な構造体となる。また、レンガを円形状に積み上げ、高さ方向でレンガを互い違いに配置すると、水平方向に隣り合って配置するレンガとレンガとの間に大きな隙間があるため、下段のレンガと、直ぐ上に配置するレンガとの接合面積が狭くなり、強固な構造体を得ることができない。
【０００４】
かかる従来の技術上の問題点を克服し、レンガを用いた平面視円形状の花壇が知られており、一般家庭で行われるガーデニングにおいても平易に形成することができる（特許文献１）。この花壇は、レンガとレンガとの間に補助部材を配置し、補助部材として、平面視二等辺三角形状で、レンガと同等の高さ寸法を有し、長さが等しい二辺の長さがレンガの長辺より短く設定されている部材を使用する。
【０００５】
図９は、補助部材９２とレンガ９１により形成した従来の円形花壇の斜視図である（特許文献１）。図９に示す例では、段Ａと段Ｂとを交互に積み上げ、各段は１４枚のレンガ９１と、１４枚の補助部材９２から構成される。１個のレンガまたは補助部材あたり、
３６０度÷１４枚÷２≒１３度
となり、
１３度÷２＝６．５度
であるから、段Ａと段Ｂを、同様のレンガ９１と補助部材９２とから構成し、段Ａと段Ｂとを６．５度ずつ回転して配置することにより、段Ａと段Ｂのうち、下段にある方の補助部材９２の直ぐ上にレンガ９１が配置し、下段にある方のレンガ９１の直ぐ上に補助部材９２が配置する円形花壇を形成することができる。この花壇は、側面に凹凸を有し、デザイン的価値が高い。
【０００６】
かかる補助部材とレンガとの構成により円形花壇を形成することができるが、この方法により、円形状以外の、半円形状、四分円形状、楕円形状等の平面視円弧状部分を有する花壇を形成することはできない。意匠性を高めるために、下方にある段の補助部材９２の直ぐ上にレンガ９１を配置し、下方にある段のレンガ９１の直ぐ上に補助部材９２を配置すると、平面視円弧状部分の両端で１３度未満の半端な角度が生じるため、平面視円弧状部分を有する花壇等を形成することができない。
【特許文献１】実用新案登録第３１３５７９２号公報
【発明の開示】
【発明が解決しようとする課題】
【０００７】
平面形状が円形状以外の優雅な曲線形状を有する壁構造体や、曲線と直線を組み合わせた更にデザイン性の高い壁構造体へのニーズは大きく、特にガーデニングの分野では、半円形状、楕円形状等の平面視円弧状部分を有する花壇への関心が高い。また、一般家庭で行われるガーデニングにおいても平易に施工できる花壇が強く望まれている。
【０００８】
本発明の課題は、レンガを組み込んで形成する壁構造体であって、平面視円弧状部分を有する任意形状の壁構造体を提供することにある。また、レンガを切断加工することなく、一般家庭でも容易に施工できる壁構造体を提供することにある。
【課題を解決するための手段】
【０００９】
本発明は、平面視円弧状部分を有する壁構造体であって、平面視円弧状部分は、段Ａと段Ｂとを交互に積み上げて形成する。段Ａは、レンガ１と、レンガ１と水平方向で隣り合って配置する補助部材２とにより形成し、レンガ１は、長辺と短辺と高さとを有する直方体状であり、長辺の方向が円弧の半径方向となるように配置する。補助部材２は、平面視台形状補助部材２ａと、平面視二等辺三角形状補助部材２ｂとを備える。平面視台形状補助部材２ａは、レンガ１と同等の高さ寸法を有する四角柱状であり、平面視台形状補助部材２ａにおける台形の上底は下底より短く、上底および下底以外の２辺の長さ寸法がいずれもレンガ１の長辺より短い。また、上底と下底以外の２辺のうちの１辺と、上底および下底とのなす角度がともに略９０度であり、上底が円弧の内側を向くように、円弧状部分の両末端に配置し、台形の４辺のうち互いに平行な上底と下底以外の２辺の少なくとも一方がレンガ１の長辺と向かい合って配置する。
【００１０】
平面視二等辺三角形状補助部材２ｂは、レンガ１と同等の高さ寸法を有する三角柱状であり、平面視二等辺三角形状補助部材２ｂにおける二等辺三角形の長さの等しい２辺の長さ寸法がいずれもレンガ１の長辺より短い。また、長さの等しい２辺が作る頂点が円弧の内側を向くように配置し、長さの等しい２辺は、レンガ１の長辺と向かい合って配置する。段Ｂは、レンガ１と、レンガ１と水平方向で隣り合って配置する平面視二等辺三角形状補助部材２ｂとにより形成し、レンガ１は、長辺の方向が円弧の半径方向となるように配置する。平面視二等辺三角形状補助部材２ｂは、補助部材２ｂにおける二等辺三角形の長さが等しい２辺の作る頂点が円弧の内側を向くように配置し、長さの等しい２辺がレンガ１の長辺と向かい合って配置する。かかる段Ａと段Ｂのうち、下段にある方の補助部材２の直ぐ上に、上段のレンガ１を配置し、下段にある方のレンガ１の直ぐ上に、上段の補助部材２を配置する。
【００１１】
レンガ１のサイズが、長辺ｙ×短辺ｔ×高さｈであり、平面視二等辺三角形状補助部材２ｂにおける二等辺三角形の長さが等しい２辺の作る角度が２θ度であるとき、
２ｔａｎ-1（ｔ／２ｙ）−５≦２θ≦２ｔａｎ-1（ｔ／２ｙ）＋５
である態様が好ましい。また、平面視台形状補助部材２ａにおける台形の４辺のうち、上底および下底以外の２辺と、上底との作る角度が、９０度と、（９０＋α）度であるとき、
θ−５≦α≦θ＋５
である態様が好ましい。
【００１２】
本発明の他の態様の壁構造体は、平面視円弧状部分に連結する平面視直線状部分を有する。補助部材２として、平面視長方形状補助部材２ｃを備え、平面視直線状部分は、レンガ１と、レンガ１と水平方向で隣り合って配置する平面視長方形状補助部材２ｃとからなる段を積み上げて形成する。レンガ１は、長辺の方向が、壁構造体の側面に直交するように配置する。また、平面視長方形状補助部材２ｃは、レンガ１と同等の高さ寸法を有する四角柱状であり、平面視長方形状補助部材２ｃにおける長方形の４辺のうち、レンガ１と水平方向で向かい合って配置する２辺の長さ寸法はレンガ１の長辺より短い。長方形の４辺のうち、レンガ１と向かい合って配置する２辺以外の２辺の長さがレンガ１の短辺と同等の寸法を有する。平面視直線状部分は、下段の補助部材２ｃの直ぐ上に、上段のレンガ１を配置し、下段のレンガ１の直ぐ上に、上段の補助部材２ｃを配置する。
【００１３】
補助部材２の材質は、発泡スチロール、発泡ポリオレフィン、天然ゴム、合成ゴム、プラスチックス、石綿、石膏、陶磁、セメント、モルタル、コンクリート、金属または金属酸化物が好適である。一方、最上段から数えて２段目以下に配置する段のレンガ１と補助部材２とが、穴部または切り欠き部を有し、壁構造体の形成後、２段目から土台に至るまで高さ方向に貫通する穴部が形成されるようにレンガ１と補助部材２とを配置する態様が好ましい。補助部材２の切り欠き部は、壁構造体を形成したときに壁構造体の内部方向を向く部分を切り欠くように形成されている形態が好ましい。また、補助部材の切り欠き部が、壁構造体を形成したときにレンガ１と向かい合う面に形成されている態様が好ましい。
【発明の効果】
【００１４】
本発明によれば、平面視円弧状部分を有する壁構造体、または平面視円弧状部分に連結する平面視直線状部分を有する壁構造体であって、壁の側面に凹凸を有するデザイン性の高い壁構造体を提供することができる。また、レンガを切断加工することなく、一般家庭でも容易に施工できる壁構造体を提供することができる。
【発明を実施するための最良の形態】
【００１５】
壁構造体は、平面視円弧状部分を有し、平面視円弧状部分は、段Ａと段Ｂとを交互に複数段積み上げて形成する。図１は、壁構造体の構成単位である段Ａと段Ｂを例示する平面図であり、図１（ａ）は、段Ａの平面図であり、図１（ｂ）は、段Ｂの平面図である。図１に示すように、段Ａと段Ｂは、同様の大きさの平面視円弧状部分Ｘを有し、図１に示す例では、平面視円弧状部分は半円形状である。図１に示すように、塀３等の側面に形成することができ、壁構造体が半円形状等の円弧状部分Ｘを有するため、デザイン的価値が高い優美な花壇等を提供することができる。
【００１６】
図１（ａ）に示すように、段Ａは、レンガ１と、レンガ１と水平方向に隣り合って配置する補助部材２とにより形成する。図２は、壁構造体を構成するレンガ１の斜視図である。図２に示すように、レンガ１は、長辺Ｙと短辺Ｔと高さＨとを有する直方体状である。図１（ａ）に示すように、レンガ１は、長辺Ｙの方向が円弧の半径方向となるように配置する。レンガ１のサイズは、ＪＩＳ規格で定められた長辺Ｙが２１０ｍｍ、短辺Ｔが１００ｍｍ、高さＨが６０ｍｍである「ＪＩＳレンガ」が一般的である。また、長辺Ｙが半分の「半マスサイズ」（長辺Ｙ；１０５ｍｍ、短辺Ｔ；１００ｍｍ、高さＨ；６０ｍｍ）、短辺Ｔを半分にした「ヨウカンサイズ」（長辺Ｙ；２１０ｍｍ、短辺Ｔ；５０ｍｍ、高さＴ；６０ｍｍ）または高さＨを半分にした「ハンペンサイズ」（長辺Ｙ；２１０ｍｍ、短辺Ｔ；１００ｍｍ、高さＨ；３０ｍｍ）等の各種のサイズのレンガを使用することができる。
【００１７】
レンガは、粘土と砂を混ぜ、成形し、乾燥し、焼成して製造した赤茶色の「赤レンガ」を好ましく使用できるが、セメントと砂を混ぜて製造した「セメントレンガ」、焼きムラを付けた「焼き過ぎレンガ」、大理石もしくは花崗岩をレンガサイズに切断したもの、直方体の頂点の角を切り取ったレンガ、頂点の角に自然な丸みを付けたレンガ、または直方体の面を正確に面取りしていないレンガ等を使用することにより、一層デザイン的価値の高い花壇を製造することができる。
【００１８】
図１（ａ）に示すように、段Ａの形成に使用する補助部材２は、平面視台形状補助部材２ａと、平面視二等辺三角形状補助部材２ｂとを備える。図３は、壁構造体を構成する補助部材２のうち、平面視台形状補助部材２ａの斜視図である。図３に示すように、平面視台形状補助部材２ａは四角柱状である。また、高さ２ａＨは、レンガ１の高さＨと同等であるため、レンガ１と水平方向に隣り合って配置すると、レンガ１と補助部材２ａの高さを揃えることができる。したがって、段Ａ上に段Ｂを容易に形成することができる。また、補助部材２ａは、図３に示すように、台形の４辺のうち互いに平行な上底２ａＪと下底２ａＫを有し、上底２ａＪが下底２ａＫより短い。
【００１９】
上底２ａＪと下底２ａＫ以外に、２辺２ａＳ，２ａＴを有し、辺２ａＳ，２ａＴは、そのうちの少なくとも１辺がレンガの長辺と向かい合って配置する。図１（ａ）に示す例では、辺２ａＳがレンガ１の長辺Ｙと向かい合って配置しているが、壁構造体の構造により、辺２ａＳと辺２ａＴの双方がレンガ１の長辺Ｙと向かい合って配置することがある。また、上底および下底以外の２辺２ａＳ，２ａＴの長さ寸法がいずれもレンガ１の長辺Ｙより短いため、壁構造体の側面に凹凸を形成することができ、意匠的価値の高い花壇等を提供することができる。補助部材２ａは、図１（ａ）に示すように、上底が円弧の内側を向くように配置する。
【００２０】
図４は、壁構造体を構成する補助部材２のうち、平面視二等辺三角形状補助部材２ｂの斜視図である。図４に示すように、平面視二等辺三角形状補助部材２ｂは三角柱状である。また、高さ２ｂＨは、レンガ１の高さＨと同等であるため、レンガ１と補助部材２ｂの高さを揃えることができ、段Ａ上に段Ｂを容易に形成することができる。また、補助部材２ｂにおける二等辺三角形の３辺のうち長さの等しい２辺２ｂＳ，２ｂＴは、図１（ａ）に示すように、レンガ１の長辺Ｙと向かい合って配置する。一方、長さの等しい２辺２ｂＳ，２ｂＴの長さ寸法がレンガ１の長辺Ｙより短いため、壁構造体の側面に凹凸を形成することができる。補助部材２ｂは、図１（ａ）に示すように、等しい２辺２ｂＳ，２ｂＴが作る頂点が、円弧状部分Ｘの内側を向くように配置する。
【００２１】
図１（ｂ）に示すように、段Ｂは、レンガ１と、レンガ１と水平方向に隣り合って配置する平面視二等辺三角形状補助部材２ｂとにより形成する。段Ｂにおけるレンガ１は、図１（ｂ）に示すように、長辺Ｙの方向が円弧の半径方向となるように配置する。段Ｂにおける平面視二等辺三角形状補助部材２ｂは、段Ａにおける平面視二等辺三角形状補助部材２ｂと同様の部材を使用する。したがって、平面視二等辺三角形状補助部材２ｂの高さ２ｂＨは、レンガ１の高さＨと同等である。また、補助部材２ｂにおける二等辺三角形の３辺のうち長さの等しい２辺２ｂＳ，２ｂＴは、図１（ｂ）に示すように、レンガ１の長辺Ｙと向かい合って配置する。一方、長さの等しい２辺２ｂＳ，２ｂＴの長さ寸法がレンガ１の長辺Ｙより短いため、壁構造体の側面に凹凸を形成することができる。補助部材２ｂは、長さの等しい２辺２ｂＳ,２ｂＴが作る頂点が、円弧の内側を向くように配置する。
【００２２】
図５は、平面視半円形状を有する壁構造体を塀３等の側面に形成した花壇の斜視図である。図５に示すように、壁構造体は、段Ａと段Ｂとを交互に配置して複数段積み上げて形成する。また、段Ａと段Ｂのうち、下段にある方の補助部材２の直ぐ上に、上段のレンガ１を配置し、下段にある方のレンガ１の直ぐ上に、上段の補助部材２を配置するように積み上げる。たとえば、図１（ａ）に示す段Ａを下段に形成した後、段Ａにおける補助部材２の直ぐ上に、段Ｂにおけるレンガ１を配置し、段Ａにおけるレンガ１の直ぐ上に、段Ｂにおける補助部材２を配置するように積み上げる。段Ａの代わりに段Ｂを下段とする場合も同様である。レンガ１と補助部材２とが高さ方向で隣り合っているため、補助部材２とレンガ１とを接合するための接合剤を乗せる付き代を広く確保することができ、積み上げ施工が容易となる。また、段Ａと段Ｂとを上記の配置構成により交互に複数段積み上げて形成することにより、壁構造体の側面に千鳥状に配置する凹凸が形成され、意匠的価値の高い壁構造体を提供することができ、特に花壇として有用である。複数段とは２段以上を意味する。
【００２３】
平面視台形状の補助部材２ａは、図１に示すように、平面視円弧状部分Ｘの両末端に配置する。また、補助部材２ａは、上底と下底以外の２辺のうち１辺と、上底および下底とのなす角度がともに略９０度である。図３に示す例では、上底２ａＪと下底２ａＫ以外の２辺のうちの１辺２ａＴと、上底２ａＪおよび下底２ａＫとのなす角度がともに略９０度である。壁構造体は、段Ａと段Ｂとを上記の配置構成により複数段積み上げて形成されるため、段Ａ中の補助部材２ａは、段Ｂ中のレンガ１と隣り合うことになる。レンガ１は直方体状であるから、補助部材２ａにおいて、上底と下底以外の２辺のうち１辺と、上底および下底とのなす角度がともに略９０度とすることにより、段Ａ中の補助部材２ａと段Ｂ中のレンガ１とを揃えて配置することができ、滑らかな円弧状のカーブを有する壁構造体を形成することができる。かかる観点から、略９０度とは、９０±１０度以内が好ましく、９０±５度以内がより好ましい。
【００２４】
図６は、壁構造体を構成する補助部材２とレンガ１の配置を示す平面図である。図６（ａ）は、平面視二等辺三角形状補助部材２ｂと、その上に積むレンガ１（破線で示す。）の配置を示す。平面視二等辺三角形状補助部材２ｂの辺２ｂＳ，２ｂＴは、水平方向に隣り合って配置する２個のレンガ（図示していない。）の長辺より短いため、空洞Ｍが生じる。図６（ａ）に示すように、補助部材２ｂ上に配置するレンガ１の短辺Ｔの下方がちょうど空洞Ｍとなるように配置すると、形成する壁構造体の側面に現れるレンガの直ぐ下に丁度同じ大きさの空洞Ｍが現れるため、千鳥状に形成される凹凸は一層優美となり、好ましい。
【００２５】
レンガ１のサイズが、長辺Ｙの長さをｙ、短辺Ｔの長さをｔ、高さＨの長さをｈとし、平面視二等辺三角形状補助部材２ｂにおける二等辺三角形の長さが等しい２辺２ｂＳ，２ｂＴの作る角度を２θ度とする。図６（ａ）に示すように、補助部材２ｂ上に配置するレンガ１の短辺Ｔの下方がちょうど空洞Ｍとなるようにするには、
ｔａｎθ＝（ｔ／２）／ｙ
＝ｔ／２ｙ
θ＝ｔａｎ-1（ｔ／２ｙ）  ・・・・・（式１）
となる。
【００２６】
レンガ１と補助部材２との間の目地幅等を考慮すると、
２ｔａｎ-1（ｔ／２ｙ）−５≦２θ≦２ｔａｎ-1（ｔ／２ｙ）＋５  が好ましく、
２ｔａｎ-1（ｔ／２ｙ）−３≦２θ≦２ｔａｎ-1（ｔ／２ｙ）＋３  がより好ましく、
２ｔａｎ-1（ｔ／２ｙ）−１≦２θ≦２ｔａｎ-1（ｔ／２ｙ）＋１  が特に好ましい。
ＪＩＳレンガとヨウカンサイズのレンガを例に取り、θ（度）と好ましい２θ（度）を表１に示す。表中、±５とは、２ｔａｎ-1（ｔ／２ｙ）±５の範囲を示す。同様に、±３とは、２ｔａｎ-1（ｔ／２ｙ）±３の範囲、±１とは、２ｔａｎ-1（ｔ／２ｙ）±１の範囲を示す。
【００２７】
【表１】
2010150824.tif 000003
【００２８】
図６（ｂ）は、平面視台形状補助部材２ａと、その上に積むレンガ１（破線で示す。）の配置を示す。平面視台形状補助部材２ａの辺２ａＳ，２ａＴは、水平方向に隣り合って配置する２個のレンガ（図示していない。）の長辺より短いため、空洞Ｍが生じる。図６（ｂ）に示すように、補助部材２ａ上に配置するレンガ１の短辺Ｔの下方がちょうど空洞Ｍとなるように配置すると、形成する壁構造体の側面に現れるレンガの側面積は、そのすぐ下にある空洞Ｍの側面積と同一となり、形成する壁構造体の側面に現れるレンガの直ぐ下に丁度同じ大きさの空洞Ｍが現れるため、千鳥状に形成される凹凸は一層優美となり、好ましい。
【００２９】
図６（ｂ）に示すように、平面視台形状補助部材２ａにおける台形の４辺のうち、上底２ａＪおよび下底２ａＫ以外の２辺２ａＳ，２ａＴと、上底２ａＪとの作る角度が、９０度と、（９０＋α）度であるとし、補助部材２ａ上に配置するレンガ１の短辺Ｔの下方がちょうど空洞Ｍとなるように配置するための角度αの値を検討する。図１（ｂ）に示す例では、段Ｂは、合計９個のレンガ１と、合計８個の二等辺三角形状補助部材２ｂとにより構成されることから明らかなとおり、段Ｂにおける円弧状部分の両末端にはレンガ１が配置し、レンガ１とレンガ１との間に補助部材２ｂが配置するため、
段Ｂにおける補助部材２ｂの個数ｎ＝レンガ１の個数−１
である。
【００３０】
補助部材２ｂにおいて、辺２ｂＳと辺２ｂＴとが作る角は２θであり、円弧の中心をＣとすると、辺２ｂＳとＣＷとは平行であり、辺２ｂＴとＣＺとは平行であるから、
∠ＷＣＺ＝２θ
であり、
円弧の中心角＝２θ×段Ｂにおける補助部材２ｂの個数（段Ｂ）
＝２θ×ｎ  ・・・・・（式２）
となる。段Ａと段Ｂとは、高さ方向に交互に重ねて配置し、下方にある段の補助部材２の直ぐ上に、上段のレンガ１を配置し、下方にある段のレンガ１の直ぐ上に、上段の補助部材２を配置するように積み上げる。したがって、段Ａにおいては、段Ｂのｎ個の補助部材２ｂ上にレンガ１を配置するため、段Ａの円弧状部分に配置するレンガ１はｎ個となり、ｎ個のレンガ１の間に補助部材２ｂを配置する。したがって、段Ａにおける補助部材２ｂはｎ−１個となる。
【００３１】
図１（ｂ）の場合と同様に、図１（ａ）においても、補助部材２ｂにおける二等辺三角形の長さの等しい２辺が作る頂角は２θであり、
∠ＷＣＺ＝２θ
である。したがって、段Ａにおいて、
二等辺三角形状補助部材２ｂにより形成される中心角＝２θ×補助部材２ｂの個数
＝２θ×（ｎ−１）
となる。上記の（式２）より、段Ａと段Ｂにより形成される円弧の中心角は等しく、２θ×ｎであるから、
２θ×ｎ−２θ×（ｎ−１）＝２θ
の角度を、段Ａの両端に配置する台形状補助部材２ａにより調整することになる。
【００３２】
下方の段のレンガ１の直ぐ上に補助部材２を配置し、下方の段の補助部材２の直ぐ上にレンガ１を配置して積み上げ、壁構造体の側面に同様の凹凸を形成するため、円弧の両端に配置する台形状補助部材２ａは同一形状とする態様が好ましい。このため、図１（ａ）において、
α×２＝２θ
となる態様が好ましく、
α＝θ
となる。したがって、レンガ１と補助部材２との間の目地幅等を考慮すると、
θ−５≦α≦θ＋５  が好ましく、
θ−３≦α≦θ＋３  がより好ましく、
θ−１≦α≦θ＋１  が特に好ましい。
【００３３】
図６（ｂ）は、補助部材２ａにおける台形の上底２ａＪと、高さ方向で隣り合うレンガ１（破線で示す。）の短辺Ｔが重なっている。かかる態様は、レンガ１と補助部材２ａとの接合面積が広く、強固な壁構造体を形成できる点で好ましい。一方、レンガ１と補助部材２ａとの接合強度が十分であるときは、図６（ｂ）において、上底２ａＪを図面の左方向に平行移動したような高さの低い態様の台形を有する補助部材２ａを使用できる。
【００３４】
つぎに、図６（ｂ）に示すように、補助部材２ａにおける台形の上底２ａＪと、高さ方向で隣り合うレンガ１（破線で示す。）の短辺Ｔが重なるときの上底２ａＪの長さｊについて検討する。
ｔａｎα＝（ｔ−ｊ）／ｙ
α＝ｔａｎ-1｛（ｔ−ｊ）／ｙ｝  ・・・・・（式３）
であり、上記の（式１）より、
θ＝ｔａｎ-1（ｔ／２ｙ）
であり、上記の（式３）より、
α＝ｔａｎ-1｛（ｔ−ｊ）／ｙ｝
である。
【００３５】
α＝θより、
ｔ／２ｙ＝（ｔ−ｊ）／ｙ
ｔ＝２（ｔ−ｊ）
ｔ＝２ｔ−２ｊ
ｊ＝ｔ／２
となる。したがって、レンガ１と補助部材２との間の目地幅等を考慮すると、
ｔ／２×０．９≦ｊ≦ｔ／２×１．１が好ましく、
ｔ／２×０．９２≦ｊ≦ｔ／２×１．０８がより好ましく、
ｔ／２×０．９５≦ｊ≦ｔ／２×１．０５が特に好ましい。
【００３６】
レンガ１および補助部材２は、花壇または塀等の壁構造体の製造に使用する部材であり、園芸用、土木用または建築用の部材であるから、幾何学上の正確な三角柱または四角注である必要はなく、頂点の角を切り取り、角に自然な丸みを付けた部材、または正確に面取りしていない部材等も使用することができる。したがって、レンガ１は直方体状のもの、平面視台形状補助部材２ａは四角柱状のもの、平面視二等辺三角形状補助部材２ｂは三角柱状のもの、また平面視長方形状補助部材２ｃは四角柱状のものをそれぞれ使用することができる。
【００３７】
本発明の壁構造体の他の態様は、平面視円弧状部分を有し、平面視円弧状部分に連結する平面視直線状部分を有する。図７と図８は、平面視円弧状部分Ｘに連結する平面視直線状部分Ｕを有する壁構造体を構成する段の平面図であり、図７に示す段と、図８に示す段とを交互に積み上げて形成することにより、平面視楕円形状の壁構造体を容易に形成することができる。図７に示す平面視円弧状部分Ｘはいずれも、図１（ｂ）に示す段Ｂの構成であり、図８に示す平面視円弧状部分Ｘはいずれも、図１（ａ）に示す段Ａの構成である。本発明の壁構造体は、平面視円弧状部分を有し、平面視円弧状部分は、段Ａと段Ｂとを交互に積み上げて形成するから、図７と図８に示す例のほかに、平面視円弧状部分Ｘが段Ａの構成であり、同じ段の他方の平面視円弧状部分が段Ｂの構成である態様とすることも可能である。
【００３８】
平面視直線状部分Ｕは、補助部材２として平面視長方形状補助部材２ｃを使用する。レンガ１と、レンガ１と水平方向で隣り合って配置する平面視長方形状補助部材２ｃとからなる段を積み上げて形成する。レンガ１は、長辺の方向が、壁構造体の側面に直交するように配置する。また、平面視長方形状補助部材２ｃは四角柱状であり、レンガ１と同等の高さ寸法を有するため、積み上げた後、レンガ１と補助部材２ｃとは、高さが同等となり、壁構造体の形成が容易となる。平面視長方形状補助部材２ｃにおける長方形の４辺のうち、レンガ１と水平方向で向かい合って配置する２辺２ｃＳ，２ｃＴの長さは、レンガ１の長辺Ｙより短いため、形成する壁構造体の側面には、補助部材２ｃの所に空洞が生じる。
【００３９】
長方形の４辺のうち、レンガ１と向かい合って配置する２辺２ｃＳ，２ｃＴ以外の２辺の長さは、レンガ１の短辺Ｔと同等の寸法を有する。また、図７に示す段と、図８に示す段とを積み上げ、下段の補助部材２ｃの直ぐ上に、上段のレンガ１を配置し、下段のレンガ１の直ぐ上に、上段の補助部材２ｃを配置する。したがって、補助部材２ｃとレンガ１とが、高さ方向で交互に配置するため、補助部材２ｃの所に生じる空洞も千鳥状に配置し、デザイン的価値の高い側面を備える壁構造体を形成することができる。また、レンガを切断加工する必要がなく、一般家庭でも容易に壁構造体を形成できる
【００４０】
図１０は、平面視円弧状部分Ｘを有し、平面視円弧状部分Ｘに連結する平面視直線状部分Ｕを有する壁構造体を構成する段の平面図であり、図１０（ａ）に示す段と、図１０（ｂ）に示す段とを交互に積み上げて形成することにより、平面視略長方形状であり、４個のコーナーが平面視四分円状の壁構造体を容易に形成することができる。同様にして、平面視略多角形状であり、コーナーが平面視円弧状の壁構造体を容易に形成することが可能である。図１１は、平面視円弧状部分Ｘ1，Ｘ2に連結する平面視直線状部分Ｕを有する壁構造体を構成する段の平面図である。図１１において、Ｘ1とＸ2とを交換した構成を有する段と、図１１に示す段とを交互に積み上げて形成する壁構造体は、塀３等の側面に平面視半楕円形状に突き出した構造を有し、優美でデザイン的価値が高く、花壇等として有用である。
【００４１】
補助部材の材質は、発泡スチロール、発泡ポリオレフィン、天然ゴム、合成ゴム、プラスチックス、石綿、石膏、陶磁、セメント、モルタル、コンクリート、金属または金属酸化物が好適である。発泡ポリオレフィンとしては、発泡ポリエチレン、または発泡ポリプロピレン等を使用することができる。発泡ポリエチレンは、ソフトで、しなやかであり、耐薬品性に優れ、繰り返し使用することができる。発泡ポリプロピレンは、発泡ポリエチレンに比べて耐熱性に優れる。合成ゴムとしては、イソプレンゴム、ブタジエンゴム、スチレン・ブタジエンゴム、クロロプレンゴム、アクリロニトリル・ブタジエンゴム、ブチルゴム、エチレン・プロピレンゴム、ウレタンゴム、シリコーンゴム、クロロスルホン化ポリエチレン、塩素化ポリエチレン、アクリルゴム、エピクロロヒドリンゴム、フッ素ゴム等を使用することができる。プラスチックスとしては、ポリエチレン、ポリプロピレン、ポリスチレン、ポリウレタン等を使用することができる。セメントとしては、たとえばパーライトを骨材とするセンメント材料を使用し、必要に応じて無機顔料を配合した部材を使用することができる。金属または金属酸化物としては、ステンレス、アルミニウム、アルミナ等を使用することができ、他の材料からなる補助部材の表面を金属または金属酸化物の板状体で被覆した部材も使用することができる。
【００４２】
レンガと補助部材との接合剤としては、たとえば、セメントモルタル、シリコーン樹脂、シリコーン・エポキシ系樹脂、ウレタン・エポキシ系樹脂等を好ましく使用することができる。特に、ウレタン・エポキシ系樹脂は、ウレタン樹脂の持つ高弾性とエポキシ樹脂の持つ高接着性を有し、熱、水、アルカリに高い抵抗性を示し、安定した物性を有する点で好ましい。
【００４３】
図１２は、壁構造体を構成する段であって、最上段から数えて２段目以下に配置する段の平面図を示し、図１２（ａ）に示す段と図１２（ｂ）に示す段とを交互に積み上げると、平面視円弧状部分を有する壁構造体を形成することができる。図１２に示すように、最上段から数えて２段目以下に配置する段のレンガ１と補助部材２とが、穴部４または切り欠き部を有し、壁構造体の形成後、２段目から土台に至るまで高さ方向に貫通する穴部が形成されるようにレンガ１と補助部材２とを配置する態様が好ましい。かかる態様の壁構造体は、２段目から土台に至るまで高さ方向に貫通する穴部に鉄筋等の補強材を配置し、セメントモルタル等の接合剤を注入することにより壁構造体の機械的強度を高めることができる。
【００４４】
図１３は、壁構造体を構成し、穴部４または切り欠き部５を有する補助部材２の平面図である。図１３（ａ）と図１３（ｂ）は、補助部材２が穴部４を有する例である。壁構造体を形成すると、補助部材２はレンガ１（図示していない。）と高さ方向で隣り合うため、２段目から土台に至るまで高さ方向に貫通する穴部が形成されるように、補助部材２の穴部４の位置に合わせて、レンガ１も穴部を有する態様が好ましい。図１３（ｃ）〜図１３（ｆ）は、補助部材２が切り欠き部５を有する例である。図１４は、壁構造体を構成する段であって、図１３（ｄ）に示すような切り欠き部５を有する補助部材２を配置して形成した段の平面図であり、レンガ１は穴部４を有する。
【００４５】
したがって、壁構造体を形成するときは、下段の補助部材２の直ぐ上に、上段のレンガ１を配置し、下段のレンガ１の直ぐ上に、上段の補助部材２を配置するため、２段目から土台に至るまで高さ方向に貫通する穴部を形成することができる。したがって、図１３（ｄ）に示すように、補助部材２の切り欠き部は、壁構造体を形成したときに壁構造体の内部方向を向く部分を切り欠くように形成されている態様が好ましい。図１３（ｃ）、図１３（ｅ）と図１３（ｆ）においては、補助部材２の切り欠き部５が、壁構造体を形成したときにレンガ１と向かい合う面に形成されている。壁構造体を形成すると、下段の補助部材２の直ぐ上に、上段のレンガ１を配置し、下段のレンガ１の直ぐ上に、上段の補助部材２を配置する。したがって、補助部材２の切り欠き部５の位置に合わせてレンガ１に切り欠き部または穴部を形成することにより、２段目から土台に至るまで高さ方向に貫通する穴部を形成することができる。
【００４６】
（実施例１）
【００４７】
本実施例においては、平面視半円形状で５段積みの壁構造体を塀の側面に形成した。レンガ１は、図２に示すような長辺Ｙ（ｙ＝２１０ｍｍ）、短辺Ｔ（ｔ＝１００ｍｍ）、高さＨ（ｈ＝６０ｍｍ）とを有する直方体状のＪＩＳレンガ（赤レンガ）を使用した。補助部材２は、平面視台形状補助部材２ａと、平面視二等辺三角形状補助部材２ｂを使用し、補助部材２は、パーライトを骨材とするセンメント材料で作成し、無機顔料を配合することにより濃いグレー調の部材を使用した。平面視台形状補助部材２ａは高さ６０ｍｍの四角柱状であり、図６（ｂ）に示すように、台形の各辺の長さが、上底２ａＪ（ｊ＝５０ｍｍ）、下底２ａＫ（８４ｍｍ）、辺２ａＴ（１６８ｍｍ）、辺２ａＳ（１７１ｍｍ）であった。
【００４８】
したがって、台形の上底２ａＪが下底２ａＫより短く、上底および下底以外の２辺２ａＳ，２ａＴの長さ寸法がいずれもレンガ１の長辺（ｙ＝２１０ｍｍ）より短く、上底２ａＪ（ｊ＝５０ｍｍ）とレンガ１の短辺Ｔ（ｔ＝１００ｍｍ）との長さ関係は、ｊ＝ｔ／２であった。また、上底と下底以外の２辺のうちの１辺２ａＴと、上底２ａＪおよび下底２ａＫとのなす角度がともに９０度であり、角αは１１．３度であった。一方、平面視二等辺三角形状補助部材２ｂは、高さ６０ｍｍの三角柱状であり、図６（ａ）に示すように、二等辺三角形の長さの等しい２辺２ｂＳ，２ｂＴの長さが１７１ｍｍであり、レンガ１の長辺Ｙ（ｙ＝２１０ｍｍ）より短いものを使用した。また、二等辺三角形の長さの等しい２辺２ｂＳ，２ｂＴの作る角２θは２２．５度であり、θは１１．２５度であった。
【００４９】
ｔａｎ-1（ｔ／２ｙ）
＝ｔａｎ-1（１００／２×２１０）
＝１３．４
２ｔａｎ-1（ｔ／２ｙ）−５＝２１．８
２ｔａｎ-1（ｔ／２ｙ）＋５＝３１．８
２１．８＜２２．５＜３１．８
であるから、
２ｔａｎ-1（ｔ／２ｙ）−５＜２θ＜２ｔａｎ-1（ｔ／２ｙ）＋５
であった。また、α＝１１．３、θ＝１１．２５より、θ−１＜α＜θ＋１であった。
【００５０】
つぎに、花壇を形成する場所にセメントモルタルを厚さ１００ｍｍ形成し、水平となるように調整し、乾燥し、土台とした。セメントモルタルは砂３：セメント１の割合で作成した。つぎに、レンガで形成した塀の側面に直径５００ｍｍの半円を描き、描いた線に沿って、半円の外側に第１段目のレンガ１と補助部材２を配置した。第１段目は、図１（ａ）に示すように、段Ａの構成とした。段Ａは、レンガ１と補助部材２とが、水平方向で隣り合うように配置した。レンガ１は、図１（ａ）に示すように、長辺Ｙの方向が円弧の半径方向となるように配置した。
【００５１】
また、平面視台形状補助部材２ａは、上底２ａＪが円弧の内側を向くように、円弧状部分Ｘの両末端に配置し、互いに平行な上底と下底以外の２辺のうち１辺２ａＳがレンガ１の長辺Ｙと向かい合うように配置した。平面視二等辺三角形状部材２ｂは、長さの等しい２辺２ｂＳ，２ｂＴが作る頂点が円弧の内側を向くように配置し、また長さの等しい２辺２ｂＳ，２ｂＴは、レンガ１の長辺Ｙと向かい合うように配置した。第１段目のレンガ１と補助部材２の配置を完了した後、１つずつ補助部材２を抜き取り、補助部材２を配置する部分の土台と、補助部材２のレンガ１と向かい合う面に接合剤を塗布し、元の場所に組み込み、接合した。接合剤は、ウレタン・エポキシ系樹脂を使用した。
【００５２】
つぎに、段Ａの上に第２段目を形成した。第２段目の段構成は、図１（ｂ）に示すような段Ｂとし、段Ａ上に積み上げた。段Ｂは、図１（ｂ）に示すように、レンガ１と平面視二等辺三角形状補助部材２ｂとを、水平方向で隣り合うように配置した。レンガ１は、長辺Ｙの方向が円弧の半径方向となるように配置した。また、平面視二等辺三角形状補助部材２ｂは、二等辺三角形における長さが等しい２辺２ｂＳ，２ｂＴの作る頂点が円弧の内側を向くように配置し、長さの等しい２辺２ｂＳ，２ｂＴがレンガ１の長辺Ｙと向かい合うように配置した。下段にある段Ａの補助部材２の直ぐ上に、段Ｂのレンガ１を配置し、下段にある段Ａのレンガ１の直ぐ上に、段Ｂの補助部材２を配置した。第２段目のレンガ１と補助部材２の配置を完了した後、１つずつ補助部材２を抜き取り、補助部材２を配置する所と、補助部材２のレンガ１と向かい合う面に接合剤を塗布し、元の場所に組み込み、接合した。接合剤は、第１段目と同様のものを使用した。
【００５３】
同様にして、第３段目〜第５段目を積み上げた。第３段目と第５段目とは段Ａの構成とし、第４段目は段Ｂの構成とした。段Ａと段Ｂのうち、下段にある方の補助部材２の直ぐ上に、上段のレンガ１を配置し、下段にある方のレンガ１の直ぐ上に、上段の補助部材２を配置した。その結果、内径５００ｍｍ、外径９２０ｍｍの平面視円弧状部分を有し、５段積みの花壇を塀の側面に形成することができた。本実施例のレンガ１と補助部材２との配置構成によれば、上段と下段との接合において、補助部材２とレンガ１とを接合するための接合剤を乗せる付き代を広く確保できるため、積み上げ施工が容易であった。また、形成した壁構造体の側面は、補助部材２を配置する部分に空洞Ｍが生じ、空洞Ｍは千鳥状に形成されるため、優美でデザイン的価値の高い花壇が得られた。また、レンガを切断加工する必要がなく、容易に積み上げることができた。
【００５４】
（実施例２）
【００５５】
本実施例においては、平面視楕円形状で６段積みの壁構造体を形成した。この壁構造体は、平面視円弧状部分を有し、平面視円弧状部分に連結する平面視直線状部分を有する。最初に、図８に示す段を形成した後、図７に示す段を積み上げ、その後、図８に示す段と図７に示す段とを交互に積み上げた。第１段目を形成するときは、図８に示すように、予め土台に直径Ｄ５００ｍｍの半円と、直線（長さＬ＝８００ｍｍ）を描き、描いた線に沿って、線の外側にレンガ１を配置した。図７に示す平面視円弧状部分Ｘはいずれも、図１（ｂ）に示す段Ｂの構成であり、図８に示す平面視円弧状部分Ｘはいずれも、図１（ａ）に示す段Ａの構成である。また、平面視円弧状部分は、段Ａと段Ｂのうち、下段にある方の補助部材２の直ぐ上に、上段のレンガ１を配置し、下段にある方のレンガ１の直ぐ上に、上段の補助部材２を配置した。
【００５６】
平面視直線状部分Ｕは、補助部材２として平面視長方形状補助部材２ｃを使用し、図７と図８に示すように、レンガ１と平面視長方形状補助部材２ｃとが、水平方向で隣り合うように配置し、レンガ１は、長辺Ｙの方向が、壁構造体の側面に直交するように配置した。平面視長方形状補助部材２ｃは、高さ６０ｍｍの四角柱状であり、レンガ１と同じ高さを有するため、積み上げた後、レンガ１と補助部材２ｃとは、高さが同等となり、壁構造体の形成が容易であった。平面視長方形状補助部材２ｃにおける長方形の４辺のうち、レンガ１と水平方向で向かい合って配置する２辺２ｃＳ，２ｃＴの長さは１６８ｍｍであり、レンガ１の長辺Ｙ（ｙ＝２１０ｍｍ）より短いため、形成する壁構造体の側面には、補助部材２ｃの所に空洞が生じた。
【００５７】
長方形の４辺のうち、レンガ１と向かい合って配置する２辺２ｃＳ，２ｃＴ以外の２辺の長さは、レンガ１の短辺Ｔ（ｔ＝１００ｍｍ）と同じであり、図７に示す段と、図８に示す段とを交互に積み上げ、下段の補助部材２ｃの直ぐ上に、上段のレンガ１を配置し、下段のレンガ１の直ぐ上に、上段の補助部材２ｃを配置した。その他の点は、実施例１と同様とした。
【００５８】
作成した壁構造体は、平面視円弧状部分が、内径５００ｍｍ、外径９２０ｍｍであり、平面視直線状部分が、長さＬ８００ｍｍであり、６段積みの平面視楕円形状の構造体であった。本実施例のレンガ１と補助部材２との配置構成によれば、上段と下段との接合において、接合剤を乗せる付き代を広く確保することができるため、積み上げ施工が容易であった。また、形成した壁構造体の側面には、補助部材２を配置する部分に空洞Ｍが生じ、空洞Ｍは、千鳥状に形成されるため、優美でデザイン的価値の高い花壇が得られた。また、レンガを切断加工する必要がなく、容易に積み上げることができた。
【００５９】
（実施例３）
【００６０】
本実施例においては、平面視半円形状で７段積みの壁構造体である花壇を塀の側面に形成した。この花壇は、最上段から数えて２段目以下に配置するレンガ１と補助部材２には穴部を有するものを使用し、壁構造体内に補強材として鉄筋を設置した。レンガ１は、図２に示す中央部Ｆｒに直径２０ｍｍの穴部を高さ方向に形成したレンガを使用した。補助部材２のうち、平面視台形状補助部材２ａは、図６（ｂ）に示すように、上底２ａＪから長さｆｂ＝１０５ｍｍの位置Ｆｂに直径２０ｍｍの穴部を高さ方向に形成したものを使用した。また、平面視二等辺三角形状補助部材２ｂは、図６（ａ）に示すように、頂点から長さｆａ＝１０５ｍｍの位置Ｆａに直径２０ｍｍの穴部を高さ方向に形成したものを使用した。
【００６１】
第１段目の段構成は、図１２（ａ）に示すように段Ａの構成とし、第２段目の段構成は、図１２（ｂ）に示すように段Ｂの構成とし、奇数段目は段Ａの構成とし、偶数段目は段Ｂの構成とし、合計６段形成した。最上段である第７段目を形成する前の壁構造体は、土台に至るまで高さ方向に貫通する穴部が形成されていた。この穴部に、長さ４００ｍｍの節のある異型鉄筋Ｄ１０（公称直径９．５３ｍｍ、最大外径１１．１３ｍｍ）を挿入し、接合剤としてウレタン・エポキシ系樹脂を穴部に注入した。その後、実施例１の段Ａと同じ構成の最上段を積み上げた。その他の点は、実施例１と同様にして壁構造体を形成した。
【００６２】
その結果、内径５００ｍｍ、外径９２０ｍｍの平面視円弧状部分を有し、７段積みの花壇を塀３の側面に形成することができた。本実施例の壁構造体は、内部に鉄筋を有するため、堅牢で容易に崩れにくい安定な構造体であった。
【産業上の利用可能性】
【００６３】
平面視円弧状部分を有する任意形状の花壇および塀等を提供することができる。また、レンガを切断加工することなく、レンガと補助部材とを組み込んで平易に形成することができる壁構造体を提供することができる。
【図面の簡単な説明】
【００６４】
【図１】本発明の壁構造体の構成単位である段Ａと段Ｂを例示する平面図である。
【図２】本発明の壁構造体を構成するレンガ１の斜視図である。
【図３】本発明の壁構造体を構成する平面視台形状補助部材２ａの斜視図である。
【図４】本発明の壁構造体を構成する平面視二等辺三角形状補助部材２ｂの斜視図である。
【図５】本発明の壁構造体を塀３の側面に形成した花壇の斜視図である。
【図６】本発明の壁構造体を構成する補助部材２とレンガ１の配置を示す平面図である。
【図７】平面視円弧状部分Ｘに連結する平面視直線状部分Ｕを有する本発明の壁構造体を構成する段の平面図である。
【図８】平面視円弧状部分Ｘに連結する平面視直線状部分Ｕを有する本発明の壁構造体を構成する段の平面図である。
【図９】補助部材９２とレンガ９１により形成した従来の円形花壇の斜視図である。
【図１０】平面視円弧状部分Ｘに連結する平面視直線状部分Ｕを有する本発明の壁構造体を構成する段の平面図である。
【図１１】平面視円弧状部分Ｘ1，Ｘ2に連結する平面視直線状部分Ｕを有する本発明の壁構造体を構成する段の平面図である。
【図１２】本発明の壁構造体を構成する段であって、最上段から数えて２段目以下に配置する段の平面図である。
【図１３】本発明の壁構造体を構成し、穴部４または切り欠き部５を有する補助部材２の平面図である。
【図１４】本発明の壁構造体を構成する段であって、図１３（ｄ）に示すような切り欠き部５を有する補助部材２を配置して形成した段の平面図である。
【符号の説明】
【００６５】
１  レンガ、２  補助部材、２ａ  平面視台形状補助部材、２ｂ  平面視二等辺三角形状補助部材、２ｃ  平面視長方形状補助部材、３  塀、Ｘ  平面視円弧状部分、Ｙ  長辺。
【図１】
2010150824.tif 000004
【図２】
2010150824.tif 000005
【図３】
2010150824.tif 000006
【図４】
2010150824.tif 000007
【図５】
2010150824.tif 000008
【図６】
2010150824.tif 000009
【図７】
2010150824.tif 000010
【図８】
2010150824.tif 000011
【図９】
2010150824.tif 000012
【図１０】
2010150824.tif 000013
【図１１】
2010150824.tif 000014
【図１２】
2010150824.tif 000015
【図１３】
2010150824.tif 000016
【図１４】
2010150824.tif 000017